【手続補正書】
【提出日】平成21年2月24日(2009.2.24)
【手続補正１】
【補正対象書類名】特許請求の範囲
【補正対象項目名】全文
【補正方法】変更
【補正の内容】
【特許請求の範囲】
【請求項１】
電気回路と、
前記電気回路から分離され、音響信号を発信するように構成された音響発信器と、
前記電気回路と前記発信器を電気的に接続させるために、前記電気回路を機械的に押圧して前記発信器と電気的に接触させるように構成された弾性保持器と、
を備えたデジタルペン。
【請求項２】
前記弾性保持器は、筐体の閉鎖境界内に、ベースと、そこから垂直に起立してその上に第１電気回路および第２電気回路を配置して、前記筐体内の前記閉鎖境界のため前記第１と第２電気回路の間の電気的接触が生じるように構成された延長部とをさらに備えた、請求項１に記載のデジタルペン。
【請求項３】
前記発信器は超音波トランスデューサである、請求項１に記載のデジタルペン。
【請求項４】
前記弾性保持器は導電性である、請求項１に記載のデジタルペン。
【請求項５】
前記延長部は前記弾性保持器にＵ字形状を与える、請求項２に記載のデジタルペン。
【請求項６】
前記弾性保持器に機械的に押圧を適用し、それによって前記電気的接触を生じるように構成された筐体をさらに備えた、請求項１に記載のデジタルペン。
【請求項７】
前記筐体は交換可能なカバー要素を備えた、請求項６に記載のデジタルペン。
【請求項８】
赤外光を放射するために、デジタルペンの複数の位置に置かれる複数の赤外エミッタをさらに備えた、請求項１に記載のデジタルペン。
【請求項９】
筐体の閉鎖境界内に、ベースと、そこから垂直に起立してその上に第１電気回路および第２電気回路を配置して、前記筐体内の前記閉鎖境界のため前記第１と第２電気回路の間の電気的接触が生じるように構成された延長部とを備えた、弾性保持器。
【請求項１０】
音響信号を発信するように構成された音響発信器と、
第１および第２切替えモードをそれぞれ達成するようにスイッチアセンブリを押圧するための２つのスイッチ点を有するスイッチアセンブリであって、前記２つのスイッチ点が実質的に同時に押圧されることにより選択可能な第３モードをさらに有するスイッチアセンブリと、
を備えたデジタルペン。
【請求項１１】
前記スイッチアセンブリは、支点を中心に均衡を保つ切替えロッドを備え、前記支点は前記切替えロッドを高い方のてこで動かされる位置と低い方の受け止められた位置のいずれか１つに保持するために弾力的に構成されており、前記実質的に同時に押圧される２つのスイッチ点は前記てこを前記受け止められた位置に下げる効果を有する、請求項１０に記載のデジタルペン。
【請求項１２】
ペン先と、
音響信号を発信するように構成され、前記ペン先に近接して配置される音響発信器と、
前記ペン先から筆圧が伝達されるとデジタルペンを平滑に作動させるように構成された平滑接触スイッチと、
を備えたデジタルペン。
【請求項１３】
前記平滑接触スイッチは開放電気回路の第１側に装着されかつ前記電気回路の第２側から切り離された弾性要素を含み、前記弾性要素は、前記弾性要素が前記電気回路の前記第２側と接触し、それによって前記電気回路を閉じる位置まで圧縮可能であり、前記筆圧を加えることにより前記弾性要素が前記位置に圧縮される、請求項１２に記載のデジタルペン。
【請求項１４】
前記弾性要素は、前記弾性要素を導電性にするために、導電性添加剤を添加されている、請求項１３に記載のデジタルペン。
【請求項１５】
前記弾性要素は、導電性の材料から作られている、請求項１３に記載のデジタルペン。
【請求項１６】
前記弾性要素は、前記電気回路に接着されている、請求項１３に記載のデジタルペン。
【請求項１７】
前記筆圧は２５グラムより低い、請求項１２に記載のデジタルペン。
【請求項１８】
前記筆圧は、０．１ｍｍ未満の距離に沿って前記弾性要素を圧縮する、請求項１２に記載のデジタルペン。
【請求項１９】
前記平滑接触スイッチ上の前記筆圧は、デジタルペンが表面に接触すると発生される、請求項１２に記載のデジタルペン。
【請求項２０】
ペン先で終端する長尺体と、
前記ペン先から突出する筆記要素と、
前記ペン先に隣接して配置され、音響信号を発信するように構成された音響発信器と、
前記ペン先に隣接して装着され、１方向に回転すると前記筆記要素を被覆し、前記１方向と反対の方向に回転すると前記筆記要素を露出させる回転カバーと、
を備えたデジタルペン。
【請求項２１】
ペン先で終端する長尺体と、
前記ペン先から突出する筆記要素と、
前記ペン先に隣接して配置され、音響信号を発信するように構成された音響発信器と、
前記長尺体を被覆する長尺筐体であって、前記筆記要素を露出および被覆させるために前記長尺体が前記長尺筐体の内部で移動可能であるように構成された長尺筐体と、
を備えたデジタルペン。
【請求項２２】
前記筆記要素が前記長尺筐体によって被覆される位置に前記長尺体を促すばねと、前記筆記要素が露出される位置に前記長尺体を固定するための手段とをさらに備えた、請求項２１に記載のデジタルペン。
【請求項２３】
二つの音響信号発信器をさらに備え、各音響信号発信器が音響信号を発信するように構成され、デジタルペン上にそれぞれ離れて配置された、請求項１に記載のデジタルペン。
【請求項２４】
音響信号を発信するように構成された音響信号発信器と、
前記音響発信器に隣接して配置された音響導波路であって、前記音響信号発信器から離れる方向に放射状に外方に広がる複数のフィンを含む音響導波路と、
を備え、前記フィンは前記音響信号を案内するように配置されているデジタルペン。
【請求項２５】
前記フィンは、前記信号発信器の周囲の領域を複数の指向性セクタに空間的に分割するように配置され、前記セクタの一つを介して前記音響発信器によって発信される音響信号を前記セクタの残りのものを介して前記音響発信器から発信される音響信号から実質的に分離する、請求項２４に記載のデジタルペン。
【請求項２６】
デジタルペンからの超音波信号を受信するための少なくとも２つの超音波受信器と、
前記超音波受信器に接続され、前記超音波受信器によって受信された超音波信号を抽出するように構成された電気回路であって、前記抽出が予想基準信号に関するデータを含む基準モデルを参照することを含んで成る電気回路と、
を備えた、デジタルペンから音響信号を受信するための受信ユニット。
【請求項２７】
前記超音波受信器は、エレクトレットマイクロフォンおよびＭＥＭＳマイクロフォンからなる群からの少なくとも一つである、請求項２６に記載の受信ユニット。
【請求項２８】
受信ユニットを別の品目に着脱自在に取り付けるための少なくとも１つの取り付け装置をさらに備えた、請求項２６に記載の受信ユニット。
【請求項２９】
前記少なくとも２つの超音波受信器は、互いに６５ｍｍ未満離れて配置される、請求項２６に記載の受信ユニット。
【請求項３０】
前記受信ユニットは、前記超音波受信器を収容するように構成され、かつ交換可能なカバー要素を有する筐体をさらに備えた、請求項２６に記載の受信ユニット。
【請求項３１】
電気回路を有するデジタルペンと、
音響信号を発信するように構成され、前記電気回路から分離された音響発信器と、
前記電気回路と前記発信器を電気的に接続させるために、弾性保持器に機械的圧力を加えることにより前記電気回路を押圧して前記発信器と接触させるように構成された弾性保持器と、
前記デジタルペンから前記音響信号を受信するための少なくとも１つの受信ユニットと、
前記少なくとも１つの受信ユニットに関連付けられ、前記デジタルペンの位置を決定するために前記受信した音響信号を処理するように構成されたプロセッサと、
を備えたデジタルペンシステム。
【請求項３２】
ユーザが予め定められた領域でデジタルペンの位置決めを行なうのを助けるために、前記予め定められた領域を図形的にマッピングするように構成されたマップをさらに備えた請求項３１に記載のシステム。
【請求項３３】
音響信号を発信するように構成された音響発信器と、第１および第２切替えモードをそれぞれ達成するようにスイッチアセンブリを押圧するための２つのスイッチ点を有するスイッチアセンブリであって、前記２つのスイッチ点が実質的に同時に押圧されることにより選択可能な第３モードをさらに有するスイッチアセンブリとを有するデジタルペンと、
前記デジタルペンから前記音響信号を受信するように構成された少なくとも１つの受信ユニットと、
前記少なくとも１つの受信ユニットに関連付けられ、前記デジタルペンの位置を決定するために前記受信した音響信号を処理するように構成されたプロセッサと、
を備えたデジタルペンシステム。
【請求項３４】
前記プロセッサは、前記デジタルペンの前記モードを検出するようにさらに構成される、請求項３３に記載のデジタルペンシステム。
【請求項３５】
音響信号を発信するように構成された音響発信器と、平滑接触スイッチに圧力を加えることによりデジタルペンが作動するように構成された平滑接触スイッチとを有するデジタルペンと、
前記デジタルペンから前記音響信号を受信するように構成された少なくとも１つの受信ユニットと、
前記少なくとも１つの受信ユニットに関連付けられ、前記デジタルペンの位置を決定するために前記受信した音響信号を処理するように構成されたプロセッサと、
を備え、
前記平滑接触スイッチは、開放電気回路の第１側に装着されかつ前記電気回路の第２側から切り離された弾性要素を含み、前記弾性要素は、前記弾性要素が前記電気回路の前記第２側と接触し、それによって前記電気回路を閉じる位置まで圧縮可能であり、筆圧を加えることにより前記弾性要素が前記位置に圧縮されるように構成された、
デジタルペンシステム。
【請求項３６】
前記プロセッサは、デジタルペンの前記作動を検出するようにさらに構成される、請求項３５に記載のデジタルペンシステム。
【請求項３７】
音響信号を発信するように構成された音響発信器を有するデジタルペンと、
前記デジタルペンから超音波信号を受信するように構成された少なくとも２つの超音波受信器を有する少なくとも１つの受信ユニットと、
前記少なくとも１つの受信ユニットに関連付けられ、前記デジタルペンの位置を抽出するために前記超音波信号を処理するように構成されたプロセッサであって、前記抽出が予想基準信号に関するデータを含む基準モデルを参照することを含んで成るプロセッサと、を備えたデジタルペンシステム。
【請求項３８】
前記受信ユニットを別の品目に着脱自在に取り付けるための少なくとも１つの取り付け装置をさらに備えた、請求項３７に記載のデジタルペンシステム。
【請求項３９】
音響信号を発信するように構成された音響発信器を有するデジタルペンと、
筐体と、前記筐体内部に配置され、前記デジタルペンから音響信号を受信するように構成された少なくとも２つの音響信号受信器とを有する少なくとも１つの受信ユニットと、
前記少なくとも１つの受信ユニットに関連付けられ、前記デジタルペンの位置を決定するために前記音響信号を処理するように構成されたプロセッサと、
を備え、前記受信ユニットはその上に装着された固定板を有し、前記固定板は、前記受信ユニットを実質的に直角の隅に固定するために前記隅に嵌合するように構成されているデジタルペンシステム。
【請求項４０】
前記筐体は、交換可能なカバー要素を含む、請求項３９に記載のデジタルペンシステム。
【請求項４１】
開放電気回路の第１側に装着されかつ前記電気回路の第２側から切り離された弾性要素であって、前記弾性要素が前記電気回路の前記第２側と接触し、それによって前記電気回路を平滑に閉じる位置まで平滑に圧縮可能であり、圧力を加えることにより前記弾性要素が前記位置まで平滑に圧縮されるように構成された弾性要素、
を備えた平滑接触スイッチ。
【請求項４２】
前記弾性要素は、前記弾性要素を導電性にするための導電性添加剤を含む、請求項４１に記載の平滑接触スイッチ。
【請求項４３】
前記弾性要素は、導電性の材料を含む、請求項４１に記載の平滑接触スイッチ。
【請求項４４】
前記弾性要素は、前記電気回路に接着される、請求項４１に記載の平滑接触スイッチ。
【請求項４５】
前記圧力は、２５グラムより低い、請求項４１に記載の平滑接触スイッチ。
【請求項４６】
前記圧力は、０．１ｍｍ未満の距離に沿って前記弾性要素を圧縮する、請求項４１に記載の平滑接触スイッチ。
【請求項４７】
音響信号を発信するように構成された音響信号発信器と、
前記音響発信器に接続され、デジタルスリーブに関して筆記器具の予め定められた移動を検出し、かつ前記検出により前記音響信号発信器を作動させるように構成された筆記センサと、
を備えた、筆記器具に装着可能なデジタルスリーブ。
【請求項４８】
前記固定板が、受信ユニットを枚葉紙の中央位置に固定するために前記位置に嵌合するようにさらに構成されている、請求項３９に記載のデジタルペンシステム。
【請求項４９】
前記実質的に直角の隅が枚葉紙の隅である、請求項３９に記載のデジタルペンシステム。